(57)【特許請求の範囲】
【請求項１】
特異的結合構成員（「sbm」）にカップリングされたＰ１及びＳ１ヌクレアーゼから選ばれるヌクレアーゼを含んで成る、アッセイにおいて利用するためのプローブ。
【請求項２】
前記sbmが抗体又はその機能性フラグメントである、請求項１記載のプローブ。
【請求項３】
前記sbmがIgG抗体又はその機能性フラグメントである、請求項１に記載のプローブ。
【請求項４】
前記sbmが一本鎖核酸である、請求項１記載のプローブ。
【請求項５】
前記ヌクレアーゼが前記sbmに直接又は間接的に共有結合されている、請求項１〜４のいずれか１項記載のプローブ。
【請求項６】
sbmにヌクレアーゼをカップリングさせることを含んで成る、請求項１〜５のいずれか１項記載のプローブの製造方法。
【請求項７】
前記カップリングが誘導化５′末端を有する核酸とジスルフィド変換され易くなったヌクレアーゼとによる、請求項６に記載の方法。
【請求項８】
ヌクレアーゼ及び第一sbmを含んで成る請求項１〜５のいずれか１項記載のプローブを採用するアッセイであって：
ｉ）被検物を含むものと信じられているサンプルを第二sbmが固定化されている担体と接触させ、当該サンプル中の被検物を当該第二sbmに結合するようにし、かくして当該担体に結合させる、ここで当該第一及び第二sbmはそれらが当該被検物の別々の部位に結合するものとするように選定する；
ii）この結合した被検物を前記プローブと接触させ、当該プローブが前記第一sbmを介して当該被検物に結合するようにする；そして
iii）この結合したプローブをシグナル系と接触させ、この結合したプローブのヌクレアーゼの活性が検出可能なシグナルを供するようにする；
ことを含んで成るアッセイ。
【請求項９】
前記工程（iii）をリン酸塩の存在下で実施する、請求項８記載のアッセイ。
【請求項１０】
前記リン酸塩が無機リン酸塩を含む、請求項９記載のアッセイ。
【請求項１１】
前記リン酸塩がリン酸モノエステルを含む、請求項９又は10記載のアッセイ。
【請求項１２】
前記プローブが第一sbmとして抗ヒトIgG抗体を含んで成り、前記第二sbmがミーズル抗原であり、そして前記被検物がミーズルに対するヒト血清IgG抗体である、請求項８〜11のいずれか１項記載のアッセイ。
【請求項１３】
前記プローブがオリゴヌクレオチドを含んで成り、そして前記被検物が一鎖DNAである、請求項８〜11のいずれか１項記載のアッセイ。
【請求項１４】
前記シグナル系が増幅系を構成する、請求項８〜11のいずれか１項記載のアッセイ。
【請求項１５】
前記増幅系が、補因子と相互作用することによりホロ酵素へと変換できるアポ酵素と、前記プローブのヌクレアーゼの作用により活性の非マスキング形態へと変換できる当該サブユニットのマスキング形態とを含んで成る、請求項14記載のアッセイ。
【請求項１６】
前記サブユニットがFADであり、そして前記マスキング形態が3′FADPである、請求項15記載のアッセイ。
【請求項１７】
前記アポ酵素がアポ−グルコースオキシダーゼ又はアポ−Ｄ−アミノオキシダーゼである、請求項15又は16記載のアッセイ。
【発明の詳細な説明】
技術分野
本発明は酵素ラベル及び特異的結合性構成員、例えば抗体及び一本鎖核酸を含んで成るプローブ、並びにかかるプローブを利用するアッセイに関する。
背景技術
酵素イムノアッセイ及び核酸プローブ系アッセイを含む多種多様な臨床、獣医及び環境学的診断アッセイにおけるラベルとしての酵素の利用が周知である。これらの用途の一例はサンドイッチ方式を採用し、それにおいては固定化抗体、抗原又は核酸を検出すべき分子の部分を認識及び結合するのに用いる。次いで測定すべき複合体の別の部分に結合する適当な酵素ラベル化抗体又は核酸プローブを導入せしめる。これは、酵素でラベルされた固体表層に固定化された複合体の形成をもたらす。オリジナルサンプルの微量物及び過剰な未結合ラベル化成分の全てを除去するいくつかの洗浄工程の後、酵素のための基質を導入し、そして酵素の存在を色、蛍光、酸化還元状態の変化を及ぼす又は発光を及ぼす基質に対するその作用を介して検出する。
ラベルとして採用する酵素は容易に検出可能な生成物を有する反応を触媒し、且つ高成度な検出を可能にする高い代謝回転値を有することが重要である。西洋ワサビペルオキシダーゼ及びアルカリ性ホスファターゼが最も一般的である。西洋ワサビペルオキシダーゼについて高成度な化学発光アッセイが発表され、それは少量の酵素の検出を可能とするが、その利用に関する問題には酵素及び基質の安定性の欠如、並びにサンプル中での内因性ペルオキシダーゼの存在が含まれる。
アルカリ性ホスファターゼに関し、酵素増幅サイクルが発表されており、それは検出できる酵素の量を更に少なくし、それ故検出限界を広げる。例えば、Rabinらの米国特許第5,445,942号、題名「Amplification Assay for hydrolase enzymes」において、加水分解されたときにFADが供されるように置換されたFADの合成誘導体を加水分解できるヒドロラーゼ酵素を検出する方法が記載されている。生成されるFADは対応のアポ酵素に由来する活性ホロ酵素を形成する。このアプローチは少量のアルカリ性ホスファターゼの検出を短時間で可能にする。例えば、我々はこのアポ酵素がアポ−Ｄ−アミノ酸オキシダーゼである増幅系を0.1amolのアルカリ性ホスファターゼを30分未満で測定するのに利用していた（Harbron Sら、Anal. Biochem.(1992） 206：119-124）。
しかしながら、ラベル酵素としてのアルカリ性ホスファターゼの利用はいくつかの欠点を有する：そのサイズの大きさ（MW＝140,000）はそれが抗体又は核酸プローブとその標的との会合を主体的に妨害しうることを意味する；膜結合タンパク質としてのその性質はそれが多くの表層に対して非特異的に結合することを意味する；それは先のアッセイ工程からキャリーオーバーされたリン酸塩の存在に対して非常に敏感である；それは核酸ハイブリダイゼーション工程において往々にして利用される温度で制約された安定性を有する；そしてそれは多くの組織においてよく見い出せる酵素であり、そして細菌及びその他の微生物の成分として大量に環境の中に存在する。
Rabinらはこのような問題の一部を解消しうるスルファターゼ、カルボキシエステラーゼ、アセチルエステラーゼ及び毒性ホスホジエステラーゼの検出のための増幅アッセイの利用を発表しているが、彼らはそのアプローチがヌクレアーゼＳ１及びヌクレアーゼＳ１の如きヌクレアーゼクラスの酵素のアッセイのために利用できることは教示していない。ヌクレアーゼＰ１は補酵素Ａを加水分解することで知られる（Fujimotoら、Agr. Biol. Chem. (1974) 38：1555-1561）。
EP-A-401,001号は置換基-X-Y-Zを有する新規のジオキセタンを考慮しており、ここでＺ及びＹは順次外れて化学発光を供する保護基である。サンドイッチアッセイに関し、Ｚは抗原、抗体又は核酸プローブに直接又は間接的に結合した第一引金酵素Ｅ１により外される。Ｅ１はヌクレアーゼであってよい。
酵素含有プローブを包括するアッセイの更なる例はEP-A-0,304,934、US-A-5,563,063、WO-A-96/41015、WO-A-90/00252、EP-A-0,061,071、EP-A-0,124,124、EP-A-0,516,948及びGB-A-2018986により供されている。
発明の開示
我々はヌクレアーゼＳ１及びヌクレアーゼＰ１の双方がFADの合成類似体であってFADのリボース成分上の３′ヒドロキシル基がリン酸によりエステル化されて3′FADPを与えることができるものを加水分解できることで、非常に迅速且つ高成度な状況でこのような酵素をアッセイする新たな手段が提供できることを発見した。しかしながら、FujimotoらはヌクレアーゼＰ１が一本鎖DNA及びRNAを加水分解することも示し、これはこの酵素が核酸プローブのラベリングのために不適当であることを示唆する。事実、従来技術はヌクレアーゼが核酸を分解するのに利用されることを教示する；かくして、Oishi及びAoiの米国特許第5,145,780号は100℃で30分加熱した後でさえも活性であるヌクレアーゼを含むトリコデルマ（Trichoderma）、アスペルギルス（Aspergillus）及びフサリウム（Fusarium）の如き真菌により産生される酵素調製品を述べている。この酵素調製品は高温で長時間かけて核酸を分解する必要があるときに効率的に利用されうる。Dovo and Mitraの米国特許第5,006,472号は所望されない残留核酸を、精製すべき生成物とは十分に相違する分子サイズ又は電荷範囲にまで分解し、かくしてこの相違がその後の精製工程（例えば沈殿、サイズ排除クロマトグラフィー又はイオン交換クロマトグラフィー）において利用されるようにするヌクレアーゼ酵素処理を、利用することによるrDNA又はモノクローナル抗体培養物を精製するための方法を開示する。
従って、ヌクレアーゼＰ１及びヌクレアーゼＳ１は核酸をラベルするのには利用できないと予想されるが、FujimotoらヌクレアーゼＰ１の一本鎖核酸を加水分解する能力がpH依存性であることを実証し、そして我々は7.0より高いpH値がこのようなヌクレアーゼによる核酸のラベリングも可能とすることを見い出した。
広義には、本発明はアッセイのための酵素ラベルとしてのＰ１及びＳ１ヌクレアーゼの利用に関連する。即ち、一の観点において、本発明は特異的な結合性構成員（「sbm」）（一般には抗体又は一本鎖核酸）にカップリングされたヌクレアーゼ（特にＰ１又はＳ１）を介して成るプローブを提供する。このヌクレアーゼはsbmに共有結合しているのが好ましい。
別の観点において、本発明はsbmに対するヌクレアーゼのカップリングを含んで成るプローブの製造方法を提供する。
更なる観点において、本発明は第一の観点に係るプローブを利用するアッセイ方法、及びかかるアッセイを実施するためのキットを提供する。
sbmの好適なタイプは抗体（特にIgG抗体）及びアッセイ手順において標的に結合することのできるため機能性フラグメントである。
sbmの別の好適なタイプは核酸（DNA，RNA又はその類似体）、一般にはオリゴヌクレオチドである。核酸は、ジスルフィド変換し易くされた、例えば２−ピリジルジスルフィド活性化されたヌクレアーゼに対するカップリングを助長する誘導化５′未満（例えばトリチル−ヘキシルチオール誘導化されて）をもって製造されうる。
本発明の好適な態様は１又は複数の下記の目的及び利点を達成することを可能にしうる：
（ａ）小さく、且つ抗体及び抗原、又は核酸の相補性鎖の会合を妨害しない酵素ラベルの提供；
（ｂ）周知の方法論を利用して抗体及び核酸に容易に接合し得る酵素ラベルの提供；
（ｃ）自然状態では膜結合型でなく、そして増殖培地の中へと分泌し、それ故固相表層に対する低レベルの非特異的結合性を有する酵素ラベルの提供；
（ｄ）リン酸塩の存在に対して非常に鈍感であり、リン酸塩含有洗浄溶液を通常利用する自動アッセイ装置における利用を可能にする酵素ラベルの提供；
（ｅ）良好な温度安定性を有し、高温、特に核酸アッセイにおいて利用されることを可能にする酵素ラベルの提供；
（ｆ）一般に存在する酵素ではなく、それ故サンプル中の内因性酵素からの夾雑が回避された酵素ラベルの提供。
更なる目的及び利点は、商業的に入手でき、内因性ホスファターゼが3′FADPを加水分解してしまうことを阻止するようアッセイ溶液の中に含まされることのあるリン酸モノエステルにより阻害されることがなく、アッセイ溶液において採用するpHでは一本鎖核酸を加水分解することがなく、そして酵素増幅系を利用してアッセイされることのできる酵素の酵素ラベルとしての利用の提供にある。
１．特異的結合構成員（「sbm」）カップリングされたＰ１及びＳ１ヌクレアーゼから選ばれるヌクレアーゼを含んで成る、アッセイにおいて利用するためのプローブ。
２．前記sbmが抗体又はその機能性フラグメントである、１のプローブ。
３．前記sbmがIgG抗体又はその機能性フラグメントである、１のプローブ。
４．前記sbmが一本鎖核酸である、１のプローブ。
５．前記ヌクレアーゼが前記sbmに直接又は間接的に共有結合されている、１〜４のいずれかのプローブ。
６．sbmにヌクレアーゼをカップリングさせることを含んで成る、１〜５のいずれかのプローブの製造方法。
７．前記カップリングが誘導化５′末端を有する核酸とジスルフィド変換され易くなったヌクレアーゼとによる、６の方法。
８．ヌクレアーゼ及び第一sbmを含んで成る１〜５のいずれかのプローブを採用するアッセイであって：
ｉ）被検物を含むものと信じられているサンプルを第二sbmが固定化されている担体と接触させ、当該サンプル中の被検物を当該第二sbmに結合するようにし、かくして当該担体に結合させる、ここで当該第一及び第二sbmはそれらが当該被検物の別々の部位に結合するものとするように選定する；
ii）この結合した被検物を前記プローブと接触させ、当該プローブが前記第一sbmを介して当該被検物に結合するようにする；そして
iii）この結合したプローブをシグナル系と接触させ、この結合したプローブのヌクレアーゼの活性が検出可能なシグナルを供するようにする；
ことを含んで成るアッセイ。
９．前記工程（iii）をリン酸塩の存在下で実施する、８のアッセイ。
10．前記リン酸塩が無機リン酸塩を含む、９のアッセイ。
11．前記リン酸塩がリン酸モノエステルを含む、９又は10のアッセイ。
12．前記プローブが第一sbmとして抗ヒトIgG抗体を含んで成り、前記第二sbmがミーズル抗原であり、そして前記被検物がミーズルに対するヒト血清IgG抗体である、８〜11のいずれかのアッセイ。
13．前記プローブがオリゴヌクレオチドを含んで成り、そして前記被検物が一鎖DNAである、８〜11のいずれかのアッセイ。
14．前記シグナル系が増幅系を構成する、８〜11のいずれかのアッセイ。
15．前記増幅系が、補因子と相互作用することによりホロ酵素へと変換できるアポ酵素と、前記プローブのヌクレアーゼの作用により活性の非マスキング形態へと変換できる当該サブユニットのマスキング形態とを含んで成る、14のアッセイ。
16．前記サブユニットがFADであり、そして前記マスキング形態が3′FADPである、15のアッセイ。
17．前記アポ酵素がアポ−グルコースオキシダーゼ又はアポ−Ｄ−アミノオキシダーゼである、15又は16のアッセイ。
本発明のいくつかの態様を図面を参照しながら例示として詳細に説明する。
【図面の簡単な説明】
図１はヌクレアーゼＰ１及びＳ１の3′FADPを基礎とする酵素増幅アッセイについての標準曲線を示す。
図２はアルカリ性ホスファターゼ及びヌクレアーゼＰ１の3′FADP−酵素増幅アッセイに対するリン酸塩の効果のグラフ対比である。
図３は3′FADPを基礎とする酵素増幅アッセイを利用して測定したヌクレアーゼＰ１の活性及び内因性ホスファターゼ（「FADPase」）活性に対するｐ−ニトロフェニル  ホスフェートの効果のグラフ対比である。
図４はミーズル（measles）についてのヌクレアーゼＰ１を基礎とする酵素イムノアッセイ（3′FADPを基礎とする酵素増幅アッセイを利用し、そして520nmでの吸収を測定）と、アルカリ性ホスファターゼを基礎とする酵素イムノアッセイ（ｐ−ニトロフェニル−ホスフェートを利用し、そして405nmでの吸収を測定）とのグラフ対比を示す。そして
図５はヌクレアーゼＰ１ラベル化プローブを利用するマイクロタイタープレートを基礎とする遺伝子プローブアッセイの結果を示すグラフである。吸収は3′FADPを基礎とする酵素増幅アッセイによる20分のインキュベーションの後に測定した。
発明を実施するための態様
本発明の態様の一の好適な型は抗体に共有結合した酵素ヌクレアーゼＰ１を採用する。この共有結合は多種多様なヘテロン値試薬を利用して数多くの周知の方法により達成し得る。例えば、Carlssonら（Biochem J (1978) 173：723-737）の方法を利用してよい：ヌクレアーゼＰ１を3-［(2)-ピリジルジチオ］プロピオン酸Ｎ−ヒドロキシスクシニミドエステル（SPDP）と反応させ、２−ピリジルジスルフィド−活性化酵素を供する。これをIgG抗体と混合し、そしてジスルフィド変換反応はヌクレアーゼＰ１−IgG抗体コンジュゲートを供する。
このコンジュゲートは例えばマイクロタイタープレート上に固定化された抗体がサンプル由来の標的抗原と結合し、そしてヌクレアーゼＰ１−IgG抗体コンジュゲートが抗原上の別の部位に結合し、ヌクレアーゼＰ１でラベルされた固定化複合体を供するサンドイッチイムノアッセイに用いることができる。数回の洗浄工程を経て、このようにして固定化され始めたヌクレアーゼＰ１はRabinらの補欠分子（prosthetogenic）増幅アッセイを利用して検出できる。このアッセイのため、バッファー、3′FADP、アポグルコースオキシダーゼ、グルコース、西洋ワサビペルオキシダーゼ及びその基質を含む溶液を添加する。3′FADPはヌクレアーゼＰ１により加水分解してFADを生成し、それはアポグルコースオキシダーゼに結合する。かのようにして生成したホログルコースオキシダーゼはグルコースを酸化して過酸化水素を生成し、それは西洋ワサビペルオキシダーゼの基質となり、マイクロプレートリーダーで簡単に定量できる着色生成物を生み出す。同様に3′FADPを加水分解してFADを与えてしまう洗浄工程を経て残る内因性ホスファターゼにより生ずるシグナルを排除するため、ホスファターゼ基質、例えばｐ−ニトロフェニルホスフェート又は２−グリセロホスフェートを添加してよい。ホスファターゼ夾雑物は3′FADPを優先して加水分解するであろう。
本発明の態様の別の好適な型は核酸に共有結合した酵素エンドヌクレアーゼＰ１を利用する。この核酸はDNAもしくはRNA又はその類似体であってよい。この核酸はトリチル−ヘキシルチオール誘導化５′未満を有する核酸シンセサイザーにより固相化学により生成されたオリゴヌクレオチドであってよい。これはヌクレアーゼＰ１−オリゴヌクレオチドコンジュゲートを供するよう上記の２−ピリジルジスルフィド活性化酵素とのジスルフィド変換を可能にする。
このコンジュゲートは、例えば、マイクロタイタープレート上に固定化されたオリゴヌクレオチドがアルカリで変性されたサンプル由来の一本鎖標的核酸に結合するサンドイッチハイブリダイゼーションアッセイに利用してよい。アニーリング及びアルカリの中和の後、ヌクレアーゼＰ１−オリゴヌクレオチドコンジュゲートは標的核酸上の別の部位に結合し、ヌクレアーゼＰ１でラベルされた固定化複合体を供する。何回かの洗浄工程を経て、このようにして固定化され始めたヌクレアーゼＰ１はRabinらの補欠分子増幅系を利用して検出できうる。このアッセイのため、バッファー、3′FADP、アポグルコースオキシダーゼ、グルコース、西洋ワサビペルオキシダーゼ及びその基質を含む溶液を添加する、3′FADPはヌクレアーゼＰ１により加水分解してFADを生成し、それはアポグルコースオキシダーゼと結合する。かのようにして生成したホログルコースオキシダーゼはグルコースを酸化して過酸化水素を生成し、それは西洋ワサビペルオキシダーゼの基質となり、マイクロプレートリーダーで簡単に定量できる着色生成物を生み出す。同様に3′FADPを加水分解してFADを与えてしまう洗浄工程を経て残る内因性ホスファターゼにより生ずるシグナルを排除するため、ホスファターゼ基質、例えばｐ−ニトロフェニルホスフェート又は２−グリセロホスフェートを添加してよい。ホスファターゼ夾雑物は3′FADPを優先して加水分解するであろう。
実施例１
ヌクレアーゼＰ１の標準化
ヌクレアーゼＰ１（１mg；Sigma Chemical Companyより入手、バッチNo. 107FO799）を１mlの水に溶かし、22.7μＭの濃度とし、そして４℃で保存した。この溶液の活性を下記の混合物でアッセイした：
0.16mMのNADH、１mMのATP、１mMのPEP、１mMのMgSO4、20mMのKcl、0.5mMのアデノシン３′５′−ビスホフェート、１Ｕのピルビン酸キナーゼ、１Ｕの乳酸デヒドロゲナーゼ及び１Ｕのミオキナーゼ；50mMのHEPESバッファー、pH7.2中、全容量１ml。340nmでの吸収変化より、ヌクレアーゼＰ１溶液の活性は320Ｕ／mlであると認められ、NADHについての6220のモル吸光係数と換算された。
実施例２
ヌクレアーゼＰ１及びヌクレアーゼＳ２の増幅アッセイ
実施例１に従って標準化したヌクレアーゼＰ１の溶液をNaOHでpH6.5に調整した50mMのクエン酸バッファーに系列希釈した。このアッセイ混合物は20μＭの3′FADP、0.1mMの４−アミノアンチピリン、２mMのDHSA、／μｇの西洋ワサビペルオキシダーゼ、0.1Ｍのグルコース及び0.1μＭのアポグルコースオキシダーゼ、全容量0.1mlを含んだ。吸収の変化を、25℃に設定した恒温制御プレートホルダーの付いたDynatech MR 7000プレートリーダーで520nmでモニターした。図１はヌクレアーゼＰ１アッセイの性能を示す。15分のアッセイ時間後、検出限界（バックグランド測定値の標準偏差の３倍と定義）は0.2amdであった。ヌクレアーゼＳ１を同じようにしてアッセイし、そしてその検出限界は４amolであった（図１）。
実施例３
ヌクレアーゼＰ１及びアルカリ性ホスファターゼの活性に対するリン酸塩の効果
リン酸バッファー、pH6.5を実施例２に記載の反応混合物に加えてリン酸塩の最終濃度が０〜10mMの範囲となるようにした。ヌクレアーゼＰ１の活性に対するリン酸塩の効果を図２に示す。これをアルカリ性ホスファターゼに対するリン酸塩の効果と比較した。クエン酸バッファーの代わりにHClでpH8.9に調整した0.1Ｍのトリスバッファーを使用した同じアッセイ混合物を利用し、そして添加するリン酸バッファーもpH8.9に調整した。明らかに、リン酸塩は、アルカリ性ホスファターゼに対してよりもヌクレアーゼＰ１に対しての方が効果が小さかった。
実施例４
ヌクレアーゼＰ１の活性に対するｐ−ニトロフェニルホスフェートの効果
ヌクレアーゼＰ１の活性に対するｐ−ニトロフェニルホスフェートの効果を、実施例２に記載のアッセイ混合物にｐ−ニトロフェニルホスフェートを０〜10mMに範囲する最終濃度となるように添加することによって調べた。ヌクレアーゼＰ１の非存在下でのバックグランド発色に対する添加ｐ−ニトロフェニルホスフェートの効果にも注目した。このバックグランドはこのアッセイに用いるアポグルコースオキシダーゼ中の内因性「FADPase」による。約５mMの濃度まで、添加ｐ−ニトロフェニルホスフェートはヌクレアーゼＰ１に対して効果を有さなかったが、バックグランドシグナルは80〜100％低下した（図３）。
実施例５
オリゴヌクレオチド合成
オリゴヌクレオチドをExpedite（商標）化学を利用してCyclone（商標）DNAシンセサイザーで合成した。捕獲DNAプローブとして既知のマイクロタイタープレート上に固定化するDNAを、牛リーダー配列を含むヒト膵臓リボヌクレアーゼをコードする遺伝子の５′未満を含むプラスミドを捕獲するためにデザインした（Taylorsonら、WO96／2001参照）。このプラスミドはR4A、K6E及びK66E突然変異も有する。その配列は下記の通りである：
0003869015.tif 000002
ヌクレアーゼＰ１でラベルすべきリポータープローブとして既知のDNAはK66E突然変異を含むリボヌクレアーゼ遺伝子の中央の領域に対して相補性である。このプローブはヌクレアーゼＰ１との連結を促進するためにその５′未満がトリチル−ヘキシルチオール基で誘導化した。その配列は下記の通りである：
0003869015.tif 000003
このオリゴヌクレオチドを凍結乾燥し、そして必要とするまで４℃で保存した。
実施例６
ヌクレアーゼＰ１の誘導化
ヌクレアーゼＰ１（５mg）と0.1Ｍの塩化ナトリウムを含む0.1Ｍの炭酸水素ナトリウムpH7.5  0.5mlに溶かし、そして同バッファーで平衡にしておいたSephadex G25（NAP-5カラム、Pharmacia）でのグル濾過により脱塩した。この酵素溶液を50倍過剰モル量の３−（２）−（ピリジルジチオ）−プロピオン酸−Ｎ−ヒドロキシスクシニミドエステル（SPDP）と室温で30分インキュベーションした。未反応のSPDPを炭酸水素バッファーで平衡にしたSephadex G25（NAP10カラム、Pharmacia）でのゲル濾過により除去した。２−ピリジルジスルフィド活性化ヌクレアーゼＰ１は４℃で保存した。
実施例７
抗ヒトIgGに対するヌクレアーゼＰ１の接合
実施例６に従って調製した２−ピリジルジスルフィド活性化ヌクレアーゼＰ１をSephadex G25でのゲル濾過を介して0.1Ｍの塩化ナトリウムを含む0.1Ｍの酢酸ナトリウムバッファーpH4.5に移した。抗ヒトIgG（γ鉱特異的）を酢酸バッファーに溶かして300ｇ／mlの濃度にし、そして同バッファーで平衡にしておいたSephadex G25（NAPカラム、Pharmacia）でのグル濾過により脱塩した。活性化ヌクレアーゼＰ１をIgG溶液と３：１のモル比で混合し、そして室温で45分、次いで４℃で更に16時間インキュベーションした。このコンジュゲートを同バッファーで平衡にしたSephadex G25でのクロマトグラフィーを介し１mMのCHAPSを含む20mMのビス−トリスバッファーpH6.5に移し、次いでPharmacia Mono-Qカラムでのイオン交換クロマトグラフィーにより精製した。このコンジュゲートを20mMの塩化ナトリウムを含む同バッファーで溶出させた。
実施例８
オリゴヌクレオチドに対するヌクレアーゼＰ１の接合
ヌクレアーゼＰ１を実施例６に記載の通りにして２−ピリジルジスルフィドに結合させ、そして0.1Ｍの塩化ナトリウムを含む0.1Ｍの炭酸水素ナトリウムpH7.5の中で４℃で保存した。実施例５のリポーターオリゴヌクレオチドを0.1Ｍの塩化ナトリウムを含む0.1Ｍの炭酸水素ナトリウムバッファーpH7.5  0.5mlに溶かし、0.36mMの最終濃度にした。これを実施例６に従って調製した活性化ヌクレアーゼＰ１と１：２のモル比において室温で45分、次いで４℃で16ｈインキュベーションした。
このコンジュゲートをSephadex G25でのクロマトグラフィーを介して１mMのCHAPSを含む20mMのビス−トリスプロパンバッファーpH7.5に移し、そしてPharmacia Mono Qカラムでのイオン交換クロマトグラフィーにより精製した。同バッファー中での塩化ナトリウム勾配を利用してカラムに載せ、そしてそのコンジュゲートは0.25Ｍのモル濃度で溶出した。
実施例９
ヌクレアーゼＰ１接合化抗ヒトIgGを利用する酵素イムノアッセイ
ミーズルに対するヒト血清IgG抗体を含む標準溶液を精製
ミーズル抗原でコーティングされたマイクロタイタープレート（エドモンド株：Sigma Chemical CoよりSIAミーズルIgGアッセイキットとして入手）の中で室温で30分インキュベーションした。各ウェルを界面活性剤含有緩衝溶液（Sigma由来のキトの備品）で５回洗浄した。１mMのCHAPSを含む20mMのビス−トリスバッファーpH6.5中の２mMのヌクレアーゼＰ１コンジュゲート200μｌを各ウェルに加えた。このグレートにふたをし、そして室温で30分インキュベーションした。各ウェルを界面活性剤含有緩衝溶液で５回洗い、過剰のコンジュゲートを除去した。結合したコンジュゲートを実施例２の増幅アッセイを利用し、５分のアッセイ時間で定量した。
図４は実施例２に記載のヌクレアーゼＰ１についての増幅アッセイを利用して供された吸収をｐ−ニトロフェニルホスフェートを利用してアッセイしたアルカリ性ホスファターゼラベル化抗体を用いて得られたもの（SIAミーズルIgGアッセイキットに通常利用されている方法）と比較するヌクレアーゼＰ１を基礎とする酵素イムノアッセイはこのキットのアルカリ性ホスファターゼ／ｐ−ニトロフェニルホスフェートを基礎とするものより約５倍成度が高かった。
実施例10
マイクロタイタープレートに対する捕獲オリゴヌクレオチドの共有結合
実施例５の捕獲オリゴヌクレオチドをRasmussenらにより発表の通りにして（And Biochem (1991) 198：138-142）Covalink NHマイクロタイタープレートの壁に固定化した。捕獲オリゴヌクレオチドを１mlの無菌水に溶かし、そしてその濃度を260nmでの吸収から決定した。それをＴ４ポリヌクレオチドキナーゼを利用し、５倍モル過剰量のATDの存在下で37℃で30分リン酸化した。反応は95℃で加熱、次いで氷上で急冷することにより停止させた。オリゴヌクレオチド溶液を143mMの１−メチルイミダゾールpH7.0で希釈して1.3μＭの最終濃度とし、そして91fmolのオリゴヌクレオチドを含む70μｌのこの溶液をCovalink NHマイクロタイタープレートの各ウェルに加えた。その後30μｌの１−エチル−３−（３−ジメチルアミノプロピル）−カルボジイミドを添加し、そしてこのプレートをシールし、そして50℃で５時間インキュベーションした。反応溶液をウェルから取り出し、そしてこのプレートを0.25％（ｗ／ｖ）のSDSを含む0.4Ｍの水酸化ナトリウムで50℃で３回洗い、次いで１mMのEDTAを含む10mMのトリス−HClバッファーpH8.0で室温で更に３回洗った。このプレートを必要となるまで４℃で保存した。
実施例11
プラスミドDNAのハイブリダイゼーション及び検出
95μｌの無菌水の中に溶解した50pgのλDNAを実施例10で調製したマイクロタイタープレートの各ウェルに加えた。これは非相補性結合のためのコントロールを担う。更にヒトRNase突然変異体を含む既知量のプラスミド５μｌ及び１Ｍの水酸化ナトリウム１μｌを加えた。この混合物を室温で10分インキュベーションしてプラスミドを変性させ、次いで2.21Ｍの塩化ナトリウム及び0.1％のTween20を含む0.5Ｍのクエン酸ナトリウムバッファーpH3.0  ８μｌで中和した。
７mMの硫酸亜鉛、１％（ｗ／ｖ）のPVP、0.1％のＮ−ラウロイルサルコシン及び150mMの塩化ナトリウムを含む0.1Ｍのトリス−HClバッファーpH7.5に溶解した実施例８に従って調製した50μｌ（34fmol）のヌクレアーゼＰ１−接合化リポータープローブを各ウェルに加えた。40℃で１時間ハイブリダイゼーション後、ウェルを７mMの硫酸亜鉛、１％（ｗ／ｖ）のPVP、0.1％のＮ−ラウロイルサルコシン及び150mMの塩化ナトリウムを含む20mMのトリス−HClバッファーpH7.5で６回洗った。
マイクロタイタープレートにハイブリダイズしたコンジュゲートの量を実施例２に記載の増幅アッセイを利用して定量した。図５は35amolほどの少ないDNAがこのように全部で90分のアッセイ時間（10分の変性、60分のハイブリダイゼーション及び20分の増幅のアッセイ）で検出てきることを示す。
本発明の好適な態様において用いた酵素ラベルは従来発表のものより小さく、より安定であり、非特異的結合しにくく、そして内因性ホスファターゼに由来するより低いバックグランドを供することがわかる。
以上の説明は本発明を限定するものではなく、数多くのバリエーションが可能である。例えば、アポ酵素として、アポ−グルコースオキシダーゼの代わりにアポ−Ｄ−アミノオキシダーゼを使用できる。
【図１】
0003869015.tif 000004
【図２】
0003869015.tif 000005
【図３】
0003869015.tif 000006
【図４】
0003869015.tif 000007
【図５】
0003869015.tif 000008